(57)【特許請求の範囲】
【請求項１】
布などのシートによって衣類入れなどのためのバッグを形成し、
該バッグの開口に沿って、更衣の際に羽織る不透明のシートの下端縁を結合し、
該不透明シートの上端の縁を肩の上に掛けて固定できる構造となっていることを特徴とする簡易更衣用具。
【請求項２】
前記の不透明シートの上端縁に沿ってゴムヒモが通されていて、肩の上に掛けて弾力的に固定できる構造とし、かつ該上端縁の両端同士を着脱式に結合できる構造となっていることを特徴とする請求項１記載の簡易更衣用具。
【請求項３】
前記の不透明シートの上下方向の両端縁の間を開閉式に閉じるための手段を備えていることを特徴とする請求項１または請求項２に記載の簡易更衣用具。
【請求項４】
前記バッグの楕円状の底部の外周に楕円筒状に縫い付けられた側部を有し、該側部の上端縁に沿って閉じヒモを通して、バッグ開口を開閉可能にしたことを特徴とする請求項１から請求項３中のいずれかの項に記載の簡易更衣用具。
【請求項５】
前記底部の外面の片方に手提げ用の帯が縫い付け固定されており、他方にも手提げ用の帯が縫い付け固定されていることを特徴とする請求項４に記載の簡易更衣用具。
【請求項６】
前記の不透明シートの上端の縁に、頭にかぶるフードが連結されていることを特徴とする請求項１から請求項５中のいずれかの項に記載の簡易更衣用具。
【発明の詳細な説明】
【０００１】
【産業上の利用分野】
本発明は、更衣室などの設備の無い場所において、舞台衣装や水着などを着替えたりする際に、他人に見られないように身体を隠したりするのに使用する簡易更衣用具に関する。
【０００２】
【従来の技術と発明が解決しようとする課題】
近年、ダンスなどの競技が盛んになっているが、大勢の競技参加者が競技用の衣装に着替える更衣室を設備してない会場が普通である。そのため、特に女性の参加者が不便を来している。
【０００３】
中には、マント状の目隠しを羽織って、その中で着替えているのを見かけるが、狭くて身動きがとれず、不便を来している。また、ドレスのすそや足が汚れたりしないように、シートなどを敷いて、その上で着替えなければならない。しかも、着替える際に、衣装や衣類を置く場所が無いのも不便である。
【０００４】
本発明の技術的課題は、このような問題に着目し、他人から見えないような目隠し用のシートの中で自由に着替えでき、かつこれから着用する衣類や脱いだ衣類を置くことができ、また敷物の機能も有している多機能型の簡易更衣用具を実現することにある。
【０００５】
【課題を解決するための手段】
本発明によると、以下のような手段によって、前記の課題を解決することができる。請求項１は、布などのシートによって衣類入れなどのためのバッグを形成し、該バッグの開口に沿って、更衣の際に羽織る不透明のシートの下端縁を結合し、該不透明シートの上端の縁を肩の上に掛けて固定できる構造となっていることを特徴とする簡易更衣用具である。
【０００６】
請求項２は、前記の不透明シートの上端縁に沿ってゴムヒモが通されていて、肩の上に掛けて弾力的に固定できる構造とし、かつ該上端縁の両端同士を着脱式に結合できる構造となっていることを特徴とする請求項１記載の簡易更衣用具である。
【０００７】
請求項３は、請求項１または請求項２の不透明シートの上下方向の両端縁の間を開閉式に閉じるための手段を備えている簡易更衣用具である。
【０００８】
請求項４は、前記バッグの楕円状の底部の外周に楕円筒状に縫い付けられた側部を有し、該側部の上端縁に沿って閉じヒモを通して、バッグ開口を開閉可能にしたことを特徴とする請求項１から請求項３中のいずれかの項に記載の簡易更衣用具である。
【０００９】
請求項５は、前記底部の外面の片方に手提げ用の帯が縫い付け固定されており、他方にも手提げ用の帯が縫い付け固定されていることを特徴とする請求項４に記載の簡易更衣用具である。
【００１０】
請求項６は、請求項１から請求項５中のいずれかの項に記載の不透明シートの上端の縁に、頭にかぶるフードが連結されている簡易更衣用具である。
【００１１】
【作用】
請求項１によると、布などのシートによって衣類入れなどのためのバッグを形成し、該バッグの開口に沿って、更衣の際に羽織る不透明のシートの下端縁を結合し、該不透明シートの上端の縁を肩の上に掛けて固定できる構造になっている。
【００１２】
そのため、バッグの開口を開き、不透明シートの内側のバッグ底部の上に立って着替えることができ、バッグ底部を敷物として使用できる。また、バッグ底部に立って、不透明シートを羽織ることで、その中で着替えることができ、不透明シートが外部からの目隠しとなるので、更衣室の無い場所でも、着替えることができる。
【００１３】
請求項２によると、前記の不透明シートの上端縁に沿ってゴムヒモが通されていて、肩の上に掛けて弾力的に固定でき、しかも該上端縁の両端同士を着脱式に結合できる構造なため、不透明シートが離脱したり、落下したりしないように確実に羽織ることができ、その中での着替えをスムーズに行なうことができる。
【００１４】
請求項３によると、不透明シートの上下方向の両端縁の間を開閉式に閉じるための手段を備えているので、この上下方向の両端縁の間を閉じることで、外部から完全に遮断でき、他人の目を気にしないで、着替えできる。
【００１５】
請求項４によると、前記バッグの楕円状の底部の外周に楕円筒状に縫い付けられた側部を有し、該側部の上端縁に沿って閉じヒモを通してあるので、バッグ開口が開閉可能となる。また、前記のバッグの底部が円状になっているので、脱いだ衣装をそのままバッグ底部に折り重ねて置くだけで、衣装を収納して持ち運びできる。そして、着替えた衣類の上に前記不透明シートを被せて、開口縁の閉じヒモを締めて開口を閉じることができる。
【００１６】
請求項５によると、前記底部の外面の片方に手提げ用の帯が縫い付け固定されており、他方にも手提げ用の帯が縫い付け固定されているため、図６のように、両手提げ用帯を１本にまとめると、持ち運びが便利になる。また、１本にまとめないで、それぞれの手提げ用帯を両方の肩に掛け、リュックのように背負うこともできる。
【００１７】
請求項６によると、前記の不透明シートの上端の縁に、頭にかぶるフードが連結されているため、非常時の避難先などにおける着替え用のほか、寝袋としても使用でき、あるいはマントやリュックなどとしても兼用でき、非常時にも有効である。
【００１８】
【実施例】
次に本発明による簡易更衣用具が実際上どのように具体化されるかを実施例で説明する。図１から図６R>６は本発明によるフード無しの簡易更衣用具の実施例であり、図１は着替えに使用している状態を正面から見た斜視図、図２は着替えに使用できるように開いた状態の斜視図、図３はバッグに納める途中の状態の斜視図、図４R>４はバッグの開口を閉じた状態の平面図、図５は同状態の底面図、図６は持ち運び可能にバッグを二つ折りにした状態の斜視図である。
【００１９】
各図において、１はバッグであり、衣類を入れて持ち運べるように、布やビニールなどのシートによって形成されている。このバッグ１は、楕円状の底部１ａと、この底部１ａの外周に、楕円筒状に縫い付けられた側部１ｂとからなっている。
【００２０】
そして、側部１ｂの上端縁には、ヒモ通し部１ｃが形成され、その中に閉じヒモ２が通され、両端は露出している。したがって、閉じヒモ２を締めれば、バッグの開口を閉じられるし、緩めれば開口を開くことができる。
【００２１】
このバッグ１には、その開口に沿って、更衣の際に羽織る不透明のシート３が縫い合わされ、結合されている。すなわち、ヒモ通し部１ｃの内側に、四角形の不透明シート３の下端縁が縫い付けられている。この不透明シート３は、バッグの開口の全周にわたるサイズでもよく、図２の実施例のように、開口全周より短かくてもよい。
【００２２】
この不透明シート３は、布やビニールなどから成り、成人の肩までの高さと同等程度か、多少長め程度がよい。この不透明シート３の上端の縁には、ゴムヒモ通し部３ａが形成され、その中にゴムヒモ４が通されており、該ゴムヒモ４の両端は、ゴムヒモ通し部３ａの両端に縫い付け固定されている。また、ゴムヒモ通し部３ａの両端には、マジックテープ（商標）やホックなどのような一対の着脱式の結合手段５ａ、５ｂが固定されている。
【００２３】
不透明シート３の上下方向の両端縁３ｂ、３ｃの間を開閉式に閉じるための手段として、例えば対になったホック６ａ、６ｂが固定されている。なお、この着脱式の閉じ手段としては、ファスナーや前記のマジックテープ（商標）、ボタンとボタン孔などでもよい。
【００２４】
また、上下方向の両端縁３ｂ、３ｃは必ずしも全長にわたって確実に閉じる必要はなく、図１のように少々開いていてもよい。不透明シート３の上端のゴムヒモ通し部３ａとバッグ１との中間には、一対の腕通し用のスリット７ａ、７ｂが開けてある。
【００２５】
この簡易更衣用具を、着替えに使用するときは、図２のようにバッグ１を床において、開口を全開とし、かつ不透明シート３のゴムヒモ通し部３ａを上にして拡げ、かつバッグ１の中に入り、その底部１ａの上で、不透明シート３を肩に羽織る。
【００２６】
そして、上端のゴムヒモ通し部３ａを肩の上に掛け、かつ首の周りに回し、両端の結合手段５ａと５ｂとを結合させる。その後、ホック６ａと６ｂとを結合させると、図１のように首から下の身体が不透明シート３の中に位置し、外部から見えないので、目隠しとして機能し、不透明シート３の内部において、自由に着替えできる。
【００２７】
普段着から競技用の衣装（や水着）に着替えるような場合は、予め図２のバッグ１の中に、これから着用する衣装を入れた状態で、不透明シート３を羽織り、前側の上下方向の両端縁３ｂ、３ｃ間を閉じるのがよい。
【００２８】
また、衣装の種類にもよるが、裾が大径で、上から足を入れてから、引き上げて着るような衣装の場合は、バッグの底部１ａに衣装を置き、衣装の中央部に脚を入れてから、不透明シート３を肩まで上げて羽織り、結合手段５ａと５ｂとを結合し、かつ上下方向の両端縁３ｂ、３ｃ間を閉じてから、不透明シート３の内部で、今着ている衣類を脱ぎ、衣装に着替えることにより、不透明シート３の中のみで楽に着替えることができる。
【００２９】
着替えを終わったら、上下方向の両端縁３ｂ、３ｃ間、結合手段５ａ、５ｂ間を外してから、バッグ１の外に出る。そして、バッグ１の中に着替えた衣類を内蔵し、その上に不透明シート３を被せて、開口縁のヒモ２を締めて開口を閉じることで、脱いだ衣類の保管もできる。
【００３０】
また、競技を終えて、競技用の衣装（や水着）から普段着に着替える場合も、前記の場合と同じ要領で、不透明シート３の内部で着替える。そして、脱いだ衣装は、そのままバッグの底部１ａの上に揃えて置き、その上に図３のように不透明シート３を被せてから、ヒモ２を締めて、バッグ開口を閉じる。
【００３１】
図４はこのようにして、バッグ開口を閉じた状態であり、閉じられたバッグ開口から見えているのが、バッグに収納した衣装の上に被さっている不透明シート３である。この状態では、バッグ１は楕円状になっているので、これを開口が内側となるように二つ折りにして、底部１ａの外面の片方に縫い付け固定されている閉じ帯９の先端の固着手段９ａを、底部１ａの外面の他方に縫い付け固定されている固着手段１０に着脱式に固着することによって、図６のように、外観がほぼ半円状になる。
【００３２】
底部１ａの外面の片方には、手提げ用の帯１１が縫い付け固定されており、底部１ａの外面の他方には、手提げ用の帯１２が縫い付け固定されているので、図６のように、両手提げ用帯１１、１２をまとめて、着脱式の固着手段１３で１本にまとめると、持ち運びが便利になる。なお、固着手段１３で１本にまとめないで、それぞれの手提げ用帯１１、１２を両方の肩に掛け、リュックのように背負うこともできる。
【００３３】
以上の実施例は、豪華な衣装の着替えをする場合について説明したが、水着や作業着などの着替えをする場合にも、全く同じ要領で使用できる。このような場合は、バッグの底部１ａを厚手の防水シートで構成し、側部１ｂや不透明シート３の部分も防水したものを用いるのがよい。
【００３４】
図７、図８は、本発明の簡易更衣用具を非常用品に適用した実施例であり、頭にかぶるフード１４が付いている。このフード１４は、図２の不透明シート３の上端縁３ａに縫い付け、あるいは接着によって結合されている。したがって、図７のように、不透明シート３で身体をくるんで、前のホック６ａ、６ｂをはめて前を閉じ、頭にフード１４を被ると、非常用の寝袋として使用できる。
【００３５】
また、不透明シート３の部分を引出し、バッグ１の部分を、リュックのように肩に背負った状態で、不透明シート３の部分を羽織り、頭にフード１４を被ると、図８のように非常時のマントとして使用できる。バッグ部分１が肩から背中に被さるので防寒効果にもすぐれており、また腕通し用のスリット７ａ、７ｂが開いているので、手も自由になる。
【００３６】
なお、バッグ１中にフード１４や不透明シート３を畳んだ状態で、非常食品などといっしょに収納し、２本の手提げ用の帯１１、１２を肩に掛けてリュックのように背負うと、大量の運搬が可能となる。図５のように、両方の手提げ用帯１１と１２が連続し、かつバッグ１の底部１ａに縫い付けられているので、バッグの補強は十分である。
【００３７】
大勢の人が一か所に避難しているような場合も、着替えの場所が無いので不自由を来すケースが多いが、本実施例のような非常用の簡易更衣用具があれば、着替えに困ることもない。なお、このように、非常用として用いる場合は、各部の素材は、それなりに強度があり、かつ厚手のものを用いる。
【００３８】
【発明の効果】
請求項１によると、布などのシートによって衣類入れなどのためのバッグを形成してあるため、バッグの底部を、着替えの際のシート（敷物）として使用でき、特別のシートを用意する必要がない。また、該バッグの開口に沿って、更衣の際に羽織る不透明のシートが結合されているので、羽織った状態においては、足元の部分なども全て完全に覆われるため、人目を気にしないで安心して着替えできる。このように、不透明シートの中で着替えることができ、不透明シートが外部からの目隠しとなるので、更衣室の無い場所でも、着替えることができる。
【００３９】
請求項２のように、前記の不透明シートの上端縁に沿ってゴムヒモが通されており、しかも該上端縁の両端同士が着脱式に結合できる構造なため、弾力的に肩の上に掛けて固定でき、不透明シートが離脱したり、落下したりしないように確実に羽織ることができ、着替えが終わると、簡単に脱いでバッグ中に収納できる。
【００４０】
請求項３によると、不透明シートの上下方向の両端縁の間を開閉式に閉じることができるので、外部から完全に遮断でき、他人の目を気にしないで、着替えできる。
【００４１】
請求項４によると、前記バッグの底部が円状になっていて、豪華なドレスなどの裾と同様な平面形状なため、脱いだ衣装をそのままバッグ底部に折り重ねて置くだけで、脱いだ衣装の収納・持ち運びが可能となる。
【００４２】
請求項５によると、バッグの開口に沿って入れてある閉じヒモを締めつけるだけで、簡単にバッグの開口を閉じることができ、また内蔵されている衣装の形がくずれないので、シワがよったり、折り目が付いたりすることもない。閉じヒモを締めつけると、バッグの外形が円状になるので、半円状に二つ折りにすることで、容易に持ち運びできる。
【００４３】
パーティーなどの際も、豪華な衣装を着用したいが、会場に更衣室が無かったり、少なかったりで、断念せざるを得ない場合も多いが、本発明の簡易更衣用具に衣装を入れて行くのみで、会場で自由に着替えできる。また、タレント達が、十分な設備の無い会場に出演する場合の着替えにも便利である。
【００４４】
本発明の簡易更衣用具は、ダンス競技などの際に着用する豪華な衣装の着替えに限らず、更衣室の設備の無いビーチなどにおいて、水着に着替える際にも利用できる。また、自宅においては、ハンガーに掛けた衣装の上から、不透明シートを被せておくことで、ほこり避けとしても兼用できる。
【００４５】
請求項６のように、前記の不透明シートの上端縁に、頭にかぶるフードを連結しておくことにより、非常時の避難先などにおける着替え用のほか、寝袋やマント、リュックなどとしても兼用できるので、非常用品としても有効である。
【図面の簡単な説明】
【図１】図１から図６は本発明によるフード無しの簡易更衣用具の実施例であり、図１は着替えに使用している状態を正面から見た斜視図である。
【図２】着替えに使用できるように開いた状態の斜視図である。
【図３】バッグに納める途中の状態の斜視図である。
【図４】バッグの開口を閉じた状態の平面図である。
【図５】バッグの開口を閉じた状態の底面図である。
【図６】持ち運び可能にバッグを二つ折りにした状態の斜視図である。
【図７】非常時に寝袋として兼用できる実施例の斜視図である。
【図８】非常時にマントとして兼用できる実施例の斜視図である。
【符号の説明】
１バッグ
１ａバッグの底部
１ｂバッグの側部
１ｃヒモ通し部
２閉じヒモ
３不透明のシート
３ａ不透明シート上端のゴムヒモ通し部
３ｂ、３ｃ不透明シートの上下方向の端縁
４ゴムヒモ
５ａ、５ｂ着脱式の結合手段
６ａ、６ｂホック（着脱式の結合手段）
７ａ、７ｂスリット
９閉じ帯
９ａ固着手段
１０固着手段
１１、１２手提げ用の帯
１４フード
【図１】
0003848390.tif 000002
【図２】
0003848390.tif 000003
【図３】
0003848390.tif 000004
【図４】
0003848390.tif 000005
【図５】
0003848390.tif 000006
【図６】
0003848390.tif 000007
【図７】
0003848390.tif 000008
【図８】
0003848390.tif 000009